(57)【要約】【課題】  立ち姿勢または中腰姿勢が主である様々な作業および業務において、人の足先と椅子の脚先の３点で身体および足腰を支えることにより、作業および業務の効率低下を極力少なくし、身体に掛る負担を未然に軽減させる椅子を提供する。【解決手段】  座部は、座部の上下方向への角度変化ができる一般的な自転車用サドルを使用し、座部を支える支柱は、鉄またはステンレスまたはアルミの棒状であり、座部回転機能構造金具、高さ調整機能構造金具を有し、支柱の一方の先端には床面損傷防止用のウレタン樹脂を固着させ、椅子本体の専用台座はウレタン樹脂製とする。個々の体格が異なる場合においても椅子の調整が可能であり、人の足先と椅子の脚先の３点で身体および足腰を支えながら、椅子本体を傾けて使用できるため、身体に掛る負担は軽減することとなる。【選択図】図１
2012090939.tif 000002
【特許請求の範囲】
【請求項１】
座部は、座部先端の角度を変化と固定する機能を有する一般的な自転車用サドルであり、座部と１本の支柱を有し、脚部の先端にウレタン樹脂による床面損傷防止処理が施されたことを特徴とする立ち姿勢または中腰姿勢を補助する椅子。
【請求項２】
専用のウレタン樹脂製台座を有し、脚部先端を台座に嵌め込んだ状態で、人の足先と椅子の脚先の３点で身体および足腰を支えながら使うことが可能であり、椅子の座部を傾けて使用することができることを特徴とする請求項１記載の椅子。
【請求項３】
座部が水平方向に回転するための金具を１本の支柱に有し、回転および固定を可能とする機能を有する請求項１〜請求項２記載の椅子。
【請求項４】
座部の高さ微調整ができる機能を１本の支柱に有する請求項１〜請求項３記載の椅子。
【請求項５】
座部に、座部を腰部および腿部に安定させるための複数のバンドを装着した請求項１〜請求項４記載の椅子。
【請求項６】
１本の支柱から二股あるいは複数股に分岐させた脚部を有する請求項１〜請求項５記載の椅子。
【請求項７】
１本の支柱から二股あるいは複数股に分岐させた脚部先端に、移動補助用キャスターおよび移動防止用ストッパーを装着した請求項１〜請求項６記載の椅子。
【発明の詳細な説明】
【技術分野】
【０００１】  本発明は、人が立ち姿勢を保ったままで使用することができる椅子に関する。
【背景技術】
【０００２】  道路工事現場では、危険回避などを目的とする誘導員は、紅白旗を駆使して誘導を行なうのが一般的であるが、誘導対象である車または人の往来がない場合でも、その存在を明らかにするために立ち続けなければならない。【０００３】  販売店舗などでは、接客を目的とする販売員は、来客者に不快感を与えないために立ち続けなければならない。【０００４】  製造工場の流れ作業ラインの生産現場では、従事する作業員は、組立工程や目視検査を行なうのであるが、作業効率を高めるために立ち作業を継続しなければならない。【０００５】  壁面または頭上に対して、ネジ締め作業や緻密作業を長時間行なう作業においては、足腰への負担が掛るだけでなく、腕や首にも負担が掛る。【０００６】  人は立ち続けると、足腰に負担が掛り、疲労や痛みが蓄積されて行く。これを緩和および回復させるために適度な運動や休憩を取るのであるが、過度の負担とならない前に軽減をすれば、回復効果は高い。身体への負担の軽減効果の最も高いとされるのは、椅子である。
【先行技術文献】
【特許文献】
【特許文献１】特開２００９−１８９７６２号  公報
【発明の概要】
【発明が解決しようとする課題】
【０００７】  特許文献１は、立ち姿勢で使用する椅子に関する文献であり、座部に自転車用サドルを採用しているが、座ることが可能であれば自転車用サドルでなければならない理由とはならず、座部の形状は従来からの四角形または円形等であっても差支えはない。また、床に接する脚部の先端は金属製パイプの切断部分となるため、床面を傷つけることが考えられる。【０００８】  本発明は、立ち姿勢または中腰姿勢が主である様々な作業および業務において、人の足先と椅子の脚先の３点で身体および足腰を支えることにより、作業および業務の効率低下を極力少なくし、身体に掛る負担を未然に軽減させることができる椅子を提供する。
【課題を解決するための手段】
【０００９】  以下、図面に基き説明する。座部０１には、座った状態でありながら片足あるいは両足への体重移動または踏ん張りにおいて、最も適しているとされる自転車用サドルを使用する。
この自転車用サドルは、前方先端部を水平方向に対して仰角または俯角に変化させることが可能な調整機能構造金具０１１を有する一般的な自転車用サドルを使用する。【００１０】  座部に接する支柱０２は、鉄またはステンレスまたはアルミで構成される１本の棒状であり、座部だけを水平方向に回転させることができる回転機能構造金具０１２、椅子の高さを変化させることができる高さ調整機能構造金具０１３を有する。支柱の先端である床面接地部０３には、床面損傷防止用にウレタン樹脂を固着させる。【００１１】  椅子の専用台座０４はウレタン樹脂製であり、支柱０２の先端である床面接地部０３を嵌め込む構造とする。
【発明の効果】
【００１２】  座部０１に自転車用サドルを使用することにより、足先によるわずかな身体重心バランス調整で体重分散が可能であるにもかかわらず、足の動きに対する制限が少ないため、立ち姿勢または中腰姿勢が主である様々な作業および業務に対応でき、身体に掛る負担を未然に軽減させることができる。【００１３】  図４は、使用時における椅子のウレタン樹脂製の専用台座０４を支点とする椅子座部の位置変化を表す図であり、同様に、図５はウレタン樹脂製の専用台座０４を使用しない場合の椅子座部の位置変化を表す図である。【００１４】  図４および図５に表されるように、座部位置を変化させ、椅子本体を傾けて使用することが可能である。座部位置の変化時においては、人の足先と椅子の脚先の３点で身体および足腰を支えているのであり、体重による足および腰への負荷は分散される。【００１５】  さらに、座部０１は、回転機能構造金具０１２により、水平方向に回転させることができるため、足先による微妙な身体バランスの調整で体重分散が可能となり、足腰への負荷をより軽減することができる。また、微細な作業をする場合などには、座部の水平方向回転を０１２ａと０１２ｂの締め付け調整により固定することができる。【００１６】  椅子の高さを変化させるための高さ調整機能構造金具０１３は、０１３ａと０１３ｂの締め付け調整により、容易に個人の身体に応じて高さ調節が可能であるため、無理な姿勢の強制の防止となる。【００１７】  ウレタン樹脂製の専用台座０４とウレタン樹脂を固着した座部支柱の先端０３は、嵌め込み状態であるため、容易に脱着が可能である。
図２の形態の使用においては、ウレタン樹脂製の専用台座０４を使用しないことにより、移動が容易となり、立ち姿勢および中腰姿勢を保ちながら移動しなければならない業務および作業において、自身の両足と椅子の脚の３点で支えながら、身体に掛る負担を未然に軽減させることができる。【００１８】  製造工場の流れ作業ラインでは、作業員がその場に留まった状態であるため、ウレタン樹脂製の専用台座０４を使用する図１形態での使用が適している。人の足先と椅子の脚先の３点で身体および足腰を支えているため、作業効率が落ちにくいにもかかわらず、腰部が固定されることにより、作業の正確性は増し、長時間作業の継続においては身体全体への負荷の減少となる。【００１９】  図６および図７に表される１本の支柱から二股あるいは複数股に分岐させた脚部を有する形態は、特定の方向に椅子を傾けて使用する頻度の高い作業に適する。
また、図８の形態は、１本の支柱から二股あるいは複数股に分岐させた脚部の先端に移動補助用キャスターを装着し、小さな移動と停止を繰り返しながら行なう天井面塗装作業などに適するのであり、さらに移動防止用ストッパーを装着し、作業の効率化と転倒防止を図ることにより、上腕部および背筋部への負荷を減少させることとなる。【００２０】  図９は、腰部および腿部と座部を安定させるための複数固定用バンド０７を座部の自転車用サドルに取り付けた図であり、図１０は、固定用バンド０７の使用時の形態をあらわす図である。
それぞれの固定用バンド先端部には、面ファスナーあるいは着脱用金具を装着し、これらにより締め付け度合いの調整を可能とする。腰部と座部の密着度合いが高まり、手先も安定することとなるため、天井面の微細な溶接作業などに適する。
【発明を実施するための形態】
【００２１】  座部の自転車用サドルは、市場に流通している一般型のサドルであり、臀部と接する面積が大きめのものを用いる。
【００２２】  座部の自転車用サドルは、個人の好みにより、座部先端０１０を水平方向に対して上下方向となる仰角または俯角に変化させることが可能な調整機能構造金具０１１を元々有している自転車用サドルを用いる。
この調整機能構造金具０１１は、自転車用サドルのバネ０８ａ（座部０１）と座部回転機能構造用金具０１２（座部支柱０２）に連結し、サドルボルト０１１ａ、サドルナット０１１ｂ、座部回転機能構造用金具０１２とを繋ぐ帯状の連結板金具０１１ｃを有するため、座部の角度の変化は、調整用ボルト０１１ａを中心として行なうことが可能であり、調整用ボルト０１１ａと調整用ナット０１１ｂによる締め付けの調整により行われる。
【００２３】  図１４があらわす座部回転機能構造用金具０１２は、二重リング構造であり、外リング０１２ａと内リング０１２ｂ、平座金０１２ｅからなり、図１３が示す座部の回転を可能とし、主軸ボルト頭部０１３ａと回転調整ナット０１３ｂの締め付け調整により、固定することも可能とする調整機能を有する。主軸ボルト０１３の径は１０ｍｍ〜２０ｍｍとし、材質は耐加重を考慮して鉄またはステンレス材が適である。
【００２４】  図１５があらわす座部の高さの微調整ができる機能を有する高さ調整機能構造金具０１４は、支柱パイプ０１５、支柱パイプに溶接により固定される主軸受け金具０１４ｂ、高さ調整ナット０１４ａ、スプリング座金０１４ｅからなる。主軸受け金具０１４ｂが加重を受けるため、座部高さの微調整は高さ調整ナット０１４ａにより可能となる
【００２５】  支柱パイプ０１５の延長である脚部先端の床面接地部０３には、床面損傷防止用に樹脂を固着させる。樹脂部の脱落を防止するためには、インサート加工が適する。支柱パイプ０１５は外径２０ｍｍ〜３０ｍｍとし、材質は耐加重を考慮して、鉄またはステンレス材、あるいはアルミ合金材が適である。
【図面の簡単な説明】
【００２６】
【図１】本発明の実施形態を示す椅子（専用台座付）の透視図
【図２】同椅子の専用台座を使用しない場合の透視図
【図３】同椅子の専用台座の透視図
【図４】同椅子の座部の位置変化を表す図（専用台座を使用する場合）
【図５】同椅子の座部の位置変化を表す図（専用台座を使用しない場合）
【図６】同椅子の座部支柱の二股分岐タイプの透視図
【図７】同椅子の座部支柱の三股分岐タイプの透視図
【図８】同椅子の座部支柱の四股分岐タイプ・移動補助用キャスター付の透視図
【図９】同椅子の固定用バンド付の透視図
【図１０】同椅子の固定用バンド使用時の形態図
【図１１】同椅子の座部周辺の部品を示す透視図
【図１２】同椅子の座部周辺の部品を示す透視図
【図１３】同椅子の座部の回転を示す形態図
【図１４】同椅子の座部回転機能構造金具を示す透視図
【図１５】同椅子の高さ調整機能構造金具を示す透視図
【符号の説明】
【００２７】０１    座部
０２    支柱
０３    床面接地部
０４    専用台座
０６    移動補助用キャスター
０７    腰部および腿部の固定用バンド
０８    自転車用サドルの本体
０８ａ  自転車用サドルのバネ
０８ｂ  自転車用サドルのバネ
０１０    座部先端部
０１１    調整機能構造金具
０１１ａ  サドルボルト
０１１ｂ  サドルナット
０１１ｃ  連結板金具
０１２    座部回転機能構造金具
０１２ａ  外リング
０１２ｂ  内リング
０１２ｅ  平座金
０１３    主軸ボルト
０１３ａ  主軸ボルト頭部
０１３ｂ  回転調整ナット
０１４    高さ調整機能構造金具
０１４ａ  高さ調整ナット
０１４ｂ  主軸受け金具
０１４ｅ  スプリング座金
０１５    支柱パイプ
【図１】
2012090939.tif 000003
【図２】
2012090939.tif 000004
【図３】
2012090939.tif 000005
【図４】
2012090939.tif 000006
【図５】
2012090939.tif 000007
【図６】
2012090939.tif 000008
【図７】
2012090939.tif 000009
【図８】
2012090939.tif 000010
【図９】
2012090939.tif 000011
【図１０】
2012090939.tif 000012
【図１１】
2012090939.tif 000013
【図１２】
2012090939.tif 000014
【図１３】
2012090939.tif 000015
【図１４】
2012090939.tif 000016
【図１５】
2012090939.tif 000017